(57)【要約】【課題】エコーキャンセル機能を有するＩＣなどを使用せず、しかも、スピーカおよびマイクロホンを近接配置したとしても、ハレーションが発生しないようにして、券売機筐体の小型化及び低コスト化を果たした。【解決手段】インターホン筐体１の正面壁１ａに、インターホン筐体１の内部側に突出し該内部とは区画された凹状のマイクロホンユニット設置部４を形成し、マイクロホンユニット設置部４にボックス状に形成されたマイクロホン収容筐体５を挿着し、マイクロホン収容筐体５にマイクロホン６を収容して、マイクロホン６がインターホン筐体１内部とは隔絶された状態で設置されるようにし、さらに、マイクロホン収容筐体５の上下側面立壁５ｂ及び一方の横側面立壁５ｃ等にマイクロホン６への音導入孔７を形成して構成した。【選択図】図２
2007317044.tif 000002
【特許請求の範囲】
【請求項１】
インターホン筐体の正面壁に、前記インターホン筐体の内部側に突出し該内部とは区画された凹状のマイクロホンユニット設置部を形成し、該マイクロホンユニット設置部にボックス状に形成されたマイクロホン収容筐体を挿着し、該マイクロホン収容筐体にマイクロホンを収容して、該マイクロホンが前記インターホン筐体内部とは隔絶された状態で設置されるようにし、さらに、前記マイクロホン収容筐体における少なくとも前記インターホン筐体から表出している部分に前記マイクロホンへの音導入孔を形成して構成したことを特徴とする自動券売機用インターホン装置。
【請求項２】
前記ボックス形状に形成したマイクロホン収容筐体は、前記インターホン筐体の正面壁側に面する前面壁および該前面壁の４つの側端辺部のうち、上下側端辺部にそれぞれ存する上下側面立壁と、前記インターホン筐体の左右側壁のうち一方側に表出するように前記前面壁の一方の横側端辺部に存する横側面立壁を一体に形成すると共に、前記インターホン筐体の背面壁側に面する後面壁を別体に形成して前記上下側面立壁に取付けることにより、前記インターホン筐体の左右側壁のうち他方側に位置する前記前面壁の他方の横側端辺部に存する側面を開口した状態で構成されており、さらに、前記後面壁に前記マイクロホンを設置して構成したことを特徴とする請求項１記載のインターホン装置。
【請求項３】
前記マイクロホン収容筐体は、前記前面壁又は前記横側面立壁を前記インターホン筐体における少なくとも正面壁又は左右側壁のうち一方の側壁に対して略面一になるように前記マイクロホンユニット設置部に挿着したことを特徴とする請求項２に記載のインターホン装置。
【請求項４】
前記上下側面立壁の先端をそれぞれ内方に折曲することにより、前記後面壁を取付けるための取付け片部を形成したことを特徴とする請求項２又は３記載のインターホン装置。
【請求項５】
前記後面壁に一端側に開口部を有するマイクロホン取付け溝を形成し、前記マイクロホンを前記開口部より挿入して前記マイクロホン取付け溝に係合することにより、前記マイクロホンを前記後面壁に設置したことを特徴とする請求項２乃至請求項４の何れか一に記載のインターホン装置。
【請求項６】
前記後面壁における前記マイクロホン取付け溝の周囲を膨出させることによって、前記マイクロホンを載置するマイクロホン載置台部を構成したことを特徴とする請求項２乃至請求項５のいずれか一に記載のインターホン装置。
【発明の詳細な説明】
【技術分野】
【０００１】
本発明は、交通機関の駅改札口に設置される自動券売機の関連機器として設置して、乗客が駅執務室にいる駅務員と会話を行う等の場合に特に適しているインターホン装置に関する。
【背景技術】
【０００２】
近年、交通機関の駅改札口等において鉄道チケットを販売するために、自動券売機が広く使用設置されるようになっている。
【０００３】
この種の自動券売機においては、乗客が目的地までのチケットを販売するための自動券売手段を有すると共に、チケットを購入しようとする乗客と駅執務室内にいる駅務員との間で会話を行うために関連機器としてインターホン装置を用いている。
【０００４】
従来、この種のインターホン装置は、券売機筐体に設置スペースを設けて、乗客の音声を駅務員側に伝えるためのマイクロホン及び駅務員からの音声を乗客側に伝えるスピーカを有して構成している(特許文献１参照)。
【特許文献１】特開平９−２８２５００号公報。
【０００５】
これによれば、インターホン装置として、自動券売機における券売機筐体の接客面に、スピーカーグリル部およびマイクロホン集音部が表出するように、デッドスペースをなるべく少なくして小型化するために、できる限り、スピーカとマイクロホンとを近接配置するようにしている。
【発明の開示】
【発明が解決しようとする課題】
【０００６】
しかしながら、上記のように、券売機筐体内に、スピーカとマイクロホンを近接配置した場合、マイクロホンが集音した音声をスピーカが拾ってしまって、所謂ハレーションが発生しまうことがある。
【０００７】
このようなハレーション発生を防止するためには、券売機筐体内において、スピーカとマイクロホンを相当の距離をおいた状態で離間配置したり、或いはインターホン回路をエコーキャンセル機能を持ったＩＣを用いた回路に構成したりしていた。
【０００８】
このために、前者においては、券売機筐体内において、スピーカ及びマイクロホンが関連する設置スペースを大きく確保する必要があり、自動券売手段その他の機構の設置スペースと相俟って、券売機筐体がどうしても大型化してしまうことになる。
【０００９】
又、後者においては、インターホン回路自身のコストアップを招来してしまうことになる。
【００１０】
そこで、本発明は、かかる点に鑑み、エコーキャンセル機能を有するＩＣなどを使用せず、しかも、スピーカおよびマイクロホンを近接配置したとしても、ハレーションが発生しないようにして、券売機筐体の小型化及び低コスト化を果たしたインターホン装置を提供することを目的としている。
【課題を解決するための手段】
【００１１】
上記目的を達成するために、請求項１に記載の本発明に係る自動券売機用インターホン装置は、自動券売機筐体に設置するインターホン筐体の正面壁に、前記インターホン筐体の内部側に突出し該内部とは区画された凹状のマイクロホンユニット設置部を形成し、該マイクロホンユニット設置部にボックス状に形成されたマイクロホン収容筐体を挿着し、該マイクロホン収容筐体にマイクロホンを収容して、該マイクロホンが前記インターホン筐体内部とは隔絶された状態で設置されるようにし、さらに、前記マイクロホン収容筐体における少なくとも前記インターホン筐体から表出している部分に前記マイクロホンへの音導入孔を形成して構成したことを特徴とするものである。
【００１２】
かかる構成により、マイクロホンはマイクロホン収容筐体内に収容されると共に、マイクロホン収容筐体がインターホン筐体におけるその内部とは区画された凹状のマイクロホンユニット設置部に設置されることになり、インターホン筐体において前記マイクロホンに近接してスピーカを設置したとしても、マイクロホンが集音した音声はマイクロホン収容筐体及び凹状のマイクロホンユニット設置部によって遮断されることになって、スピーカに伝達されず、結果的にハレーション現象の発生を防止することができる。
【００１３】
この結果、インターホン筐体において、エコーキャンセル機能を有するＩＣを用いた回路構成にせず、マイクロホンとスピーカとを相当近接配置することができ、インターホン装置自体の小型化及び低コスト化を達成することができ、しかも、マイクロホン及びスピーカはインターホン筐体に設置していることから、インターホン装置のユニット化を果たして、券売機筐体への取付けを容易にしている。
【００１４】
また、請求項２に記載の本発明に係る自動券売機用インターホン装置は、前記ボックス形状に形成したマイクロホン収容筐体は、前記インターホン筐体の正面壁側に面する前面壁および該前面壁の４つの側端辺部のうち、上下側端辺部にそれぞれ存する上下側面立壁と、前記インターホン筐体の左右側壁のうち一方側に表出するように前記前面壁の一方の横側端辺部に存する横側面立壁を一体に形成すると共に、前記インターホン筐体の背面壁側に面する後面壁を別体に形成して前記上下側面立壁に取付けることにより、前記インターホン筐体の左右側壁のうち他方側に位置する前記前面壁の他方の横側端辺部に存する側面を開口した状態で構成されており、さらに、前記後面壁に前記マイクロホンを設置して構成したことを特徴とするものである。
【００１５】
かかる構成により、本発明は、マイクロホン収容筐体を構成する前面壁、上下側面立壁及び横側面立壁を一体に形成することにより、一枚の板材をプレス加工することにより簡単に製作することができ、マイクロホンを設置する後面壁を別体構成にて上下側面立壁に取付けるようにしたことから、マイクロホンを設置した後に後面壁を上下側面立壁に取付ければよく、取付け作業が簡単であり、後面壁を横側面立壁に取付けた後はマイクロホンを含むマイクロホン収容筐体がユニット化されて、インターホン筐体への取付を容易にしている。
【００１６】
また、請求項３に記載の本発明にかかる自動券売機用インターホン装置は、前記マイクロホン収容筐体が、前記前面壁および前記横側面立壁を前記インターホン筐体における少なくとも正面壁に対して略面一になるように前記マイクロホンユニット設置部に挿着したことを特徴とするものである。
【００１７】
かかる構成により、マイクロホン収容筐体がインターホン筐体におけるマイクロホンユニット設置部より出っ張ることなく設置することができ、不心得者のいたずら等を未然に防ぐことができる。
【００１８】
また、請求項４に記載の本発明にかかる自動券売機用インターホン装置は、前記上下側面立壁の先端をそれぞれ内方に折曲することにより、前記後面壁を取付けるための取付け片部を形成したことを特徴とするものである。
【００１９】
かかる構成により、上下側面立壁の先端を内方に折曲することによって取付け片部を形成したことから、当該取付け片部による上下側面立壁への後面壁の取付けが省スペースにて行うことができ、しかも、取り付け作業が簡単であるといえる。
【００２０】
また、請求項５に記載の本発明にかかる自動券売機用インターホン装置は、前記後面壁に一端側に開口部を有するマイクロホン取付け溝を形成し、前記マイクロホンを前記開口部より挿入して前記マイクロホン取付け溝に係合することにより、前記マイクロホンを前記後面壁に設置したことを特徴とするものである。
【００２１】
かかる構成により、マイクロホンは、後面壁におけるマイクロホン取付け溝に係合するだけで、マイクロホン収容筐体に装着することができ、装着工数の軽減が期待できる。
【００２２】
また、請求項６に記載の本発明にかかる自動券売機用インターホン装置は、前記後面壁における前記マイクロホン取付け溝の周囲を膨出させることによって、前記マイクロホンを載置するマイクロホン載置台部を構成したことを特徴とする。
【００２３】
かかる構成により、マイクロホンの後面壁への取付けが簡単となると共に、マイクロホンをインターホン筐体の集音孔部に近接することができ、マイクロホンの集音機能が高めることができる。
【発明の効果】
【００２４】
上記のように構成する本発明において、マイクロホンはマイクロホン収容筐体内に収容されると共に、マイクロホン収容筐体がインターホン筐体におけるその内部とは区画された凹状のマイクロホンユニット設置部に設置されることになり、インターホン筐体において前記マイクロホンに近接してスピーカを設置したとしても、マイクロホンが集音した音声はマイクロホン収容筐体及び凹状のマイクロホンユニット設置部によって遮断されることになって、スピーカに伝達されず、結果的にハレーション現象の発生を防止することができる。
【発明を実施するための最良の形態】
【００２５】
次に、図を用いて、本発明を実施するための最良の実施の形態について説明する。
【００２６】
図１は、本発明に係る一実施の形態によるインターホン装置を正面上方から描画した斜視図、図２は図１におけるＡ円内を拡大して描画した分割斜視図、図３は図２に描画したマイクロホン収容筐体の分割斜視図、図４は図２におけるインターホン筐体の背面壁を取り外した状態で描画した背面図である。
【００２７】
図１において、不図示の自動券売機に用いて好適なインターホン装置は、インターホン筐体１に基板２、スピーカ３或いはマイクロホン４、更には、乗客が駅務員を呼び出すための呼び出しブザー８等を収容することによって構成されている。
【００２８】
インターホン筐体１には、箱型に構成されており、乗客に面する接客面としての正面壁１ａと左側壁１ｂとに渡るように、インターホン筐体の内部側に突出し該内部とは区画された凹状のマイクロホンユニット設置部４が形成されている。
【００２９】
マイクロホンユニット設置部４には、マイクロホン収容筐体５が後述する方法で固定挿着されている。
【００３０】
マイクロホン収容筐体５は、インターホン筐体１の正面壁側に面する前面壁５ａと、前面壁５ａの側端辺部のうち、上下側端辺部５а−１にそれぞれ存する上下側面立壁５ｂ及び一方の横側端辺部５ａ−２に存する横側面立壁５ｃを、板材にプレス加工等により一体に成形構成している。
【００３１】
マイクロホン収容筐体５における前面壁５ａは、インターホン筐体１の正面壁１ａに面一になるように表出しており、又、横側面立壁５ｃはインターホン筐体１の左側面壁１ｂにやはり面一になるように表出している。
【００３２】
そして、上下側面立壁５ｂは、その先端がそれぞれマイクロホン収容筐体５の内方に向かうように折曲されて、取付け片部５ｂ−１を形成しており、取付け片部５ｂ−１には、別体構成の後面壁５ｄが取付けられている。
【００３３】
かくして、マイクロホン収容筐体５は、その他方の横側端辺部５а−３に存する側面に開口５ｅを有する状態で構成されていることになる。
【００３４】
後面壁５ｄには、マイクロホン収容筐体５の横側面立壁５ｃ側に開口する開口部５ｄ−１を有するように、マイクロホン取付け溝５ｄ−２が形成されており、マイクロホン６を開口部５ｄ−１より挿入して、マイクロホン６の係合取付け部６ａをマイクロホン取付け溝５ｄ−２に係合することによって、マイクロホン６が設置されている。
【００３５】
さらに、後面壁５ｄは、その略中央部に存するように、マイクロホン取付け溝５ｄ−２の周囲が膨出形成され、マイクロホン載置台部５ｄ−３を有して構成している。
【００３６】
したがって、後面壁５ｄは、マイクロホン載置台部５ｄ−３によって浮き上がらせた状態でマイクロホン６を保持しており、又、その上下方向両端辺部５ｄ−４が上下側面立壁５ｂの取付け片部５ｂ−１に重なることにより、マイクロホンユニット設置部４の後ろ壁４ａに不図示のビス１ｃ等により共締めにて取付けられることになり、マイクロホン６とこれを収容したマイクロホン収容筐体５とは、ユニット化されて、インターホン筐体１のマイクロホンユニット設置部４に設置されることになる。
【００３７】
かくて、図４に示すように、インターホン筐体１の内部においては、正面壁１ａにマイクロホンユニット設置部４に区画された状態において、マイクロホン６が配置され、マイクロホン６に近接する状態で、スピーカ３が配置され、その上方に基板２が配置されて、インターホン装置を構成していることになる。
【００３８】
したがって、マイクロホン収容筐体５における互いにインターホン筐体１から表出する少なくとも、前面壁５ａ及び横側面壁５ｃには、マイクロホン６に音声を導入する音導入孔７が適宜穿設されている。
【００３９】
なお、マイクロホンユニット収容部４の設置位置が、インターホン筐体１における右側面壁１ｃや上下面壁１ｄにマイクロホン収容筐体５を表出させるような位置に選択される場合もあることに鑑み、音導入孔７は、本実施の形態においてはインターホン筐体１に対して表出しない上下側面立壁５ｂにも穿設形成したものである。
【００４０】
また、図４に示すように、基板２は、スピーカ３及びマイクロホン６をインターホン筐体１の背面側から覆うように配置されて、インターホン鏡体１に設置された取付けボスにビス２ａを用いて螺着されており、また、スピーカ３はやはりビス１ｄ等を用いてインターホン筐体１に取付けられている。
【００４１】
上記のように構成する実施の形態においては、マイクロホン６はマイクロホン収容筐体５内に収容されると共に、マイクロホン収容筐体５がインターホン筐体１におけるその内部とは区画された凹状のマイクロホンユニット設置部４に設置されることになり、インターホン筐体１においてマイクロホン６に近接してスピーカ３を設置したとしても、マイクロホン６が集音した音声はマイクロホン収容筐体５及び凹状のマイクロホンユニット設置部４によって遮断されることになって、スピーカ３に伝達されず、結果的にハレーション現象の発生を防止することができる。
【００４２】
この結果、インターホン筐体１において、エコーキャンセル機能を有するＩＣを用いた回路構成にせず、マイクロホン６とスピーカ３とを相当近接配置することができ、インターホン装置自体の小型化及び低コスト化を達成することができ、しかも、マイクロホン６及びスピーカ３はインターホン筐体１に設置していることから、インターホン装置のユニット化を果たして、券売機筐体への取付けを容易にしている。
【００４３】
また、マイクロホン収容筐体５を構成する前面壁５ａ、上下側面立壁５ｂ及び横側面立壁５ｃを一体に形成することにより、一枚の板材をプレス加工することにより簡単に製作することができ、マイクロホン６を設置する後面壁５ｄを別体構成にて上下側面立壁５ｂに取付けるようにしたことから、マイクロホン６を設置した後に後面壁５ｄを上下側面立壁５ｂに取付ければよく、取付け作業が簡単であり、後面壁５ｄを上下側面立壁５ｂに取付けた後はマイクロホンを含むマイクロホン収容筐体がユニット化されて、インターホン筐体１への取付けを容易にしている。
【００４４】
また、マイクロホン収容筐体５は、その前面壁５ａおよび横側面立壁５ｃをインターホン筐体１における正面壁１ａおよび左側面壁１ｂに対して略面一になるようにマイクロホンユニット設置部４に挿着したこと殻、インターホン筐体１におけるマイクロホンユニット設置部より出っ張ることなく設置することができ、不心得者のいたずら等を未然に防ぐことができる。
【００４５】
また、上下側面立壁５ｂの先端を内方に折曲することによって取付け片部５ｂ−１を形成したことから、取付け片５ｂ−１による上下側面立壁５ｂへの後面壁５ｄの取付けが省スペースにて行うことができ、しかも、取り付け作業が簡単であるといえる。
【００４６】
マイクロホン６は、後面壁５ｄにおけるマイクロホン取付け溝５ｄ−２に係合するだけで、マイクロホン収容筐体５に装着することができ、装着工数の軽減が期待できる。
【００４７】
また、後面壁５ｄにおけるマイクロホン取付け溝５ｄ−２の周囲を膨出させることによって、マイクロホン６を載置するマイクロホン載置台部５ｄ−３を形成したことから、マイクロホン６の後面壁５ｄへの取付けが簡単となると共に、マイクロホン６をインターホン筐体１の音導入孔７に近接することができ、マイクロホン６の集音機能が高めることができる。
【産業上の利用可能性】
【００４８】
以上説明したように、本発明は、マイクロホンはマイクロホン収容筐体内に収容されると共に、マイクロホン収容筐体がインターホン筐体におけるその内部とは区画された凹状のマイクロホンユニット設置部に設置されることになり、インターホン筐体において前記マイクロホンに近接してスピーカを設置したとしても、マイクロホンが集音した音声はマイクロホン収容筐体及び凹状のマイクロホンユニット設置部によって遮断されることになって、スピーカに伝達されず、結果的にハレーション現象の発生を防止することができるために、交通機関の駅改札口に設置される自動券売機に設置して、乗客が駅執務室にいる駅務員と会話を行う等の場合に使用に適しているインターホン装置等に好適である。
【図面の簡単な説明】
【００４９】
【図１】本発明に係る一実施の形態によるインターホン装置を正面上方から描画した斜視図である。
【図２】図１におけるＡ円内を拡大して描画した分割斜視図である。
【図３】図２に描画したマイクロホン収容筐体の分割斜視図である。
【図４】図２におけるインターホン筐体の背面壁を取り外した状態で描画した背面図である。
【符号の説明】
【００５０】
１    インターホン筐体
１ａ  正面壁
１ｂ  左側面壁
４    マイクロホンユニット設置部
５    マイクロホン収容筐体
５ａ  前面壁
５ａ−１  上下側端辺部
５ａ−２  一方の横側端辺部
５ａ−３  他方の横側端辺部
５ｂ  上下側面立壁
５ｂ−１  取付け片部
５ｃ  横側面立壁
５ｄ  後面壁
５ｄ−１  開口部
５ｄ−２  マイクロホン取付け溝
５ｄ-３  マイクロホン載置台部
５ｄ−４  上下方向両端辺部
５ｅ  開口
６    マイクロホン
７    音導入孔
【図１】
2007317044.tif 000003
【図２】
2007317044.tif 000004
【図３】
2007317044.tif 000005
【図４】
2007317044.tif 000006